【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
ポリ（パーフルオロアルキレンエーテル）鎖（ａ２）と一つのラジカル重合性不飽和基とを有するラジカル重合性不飽和単量体（ｘ−１）と酸基を有するラジカル重合性不飽和単量体（ｘ−３）とを共重合させて、前記ラジカル重合性不飽和単量体（ｘ−１）及び（ｘ−３）の重合体構造（ａ１）とこの側鎖にポリ（パーフルオロアルキレンエーテル）鎖（ａ２）と酸基とを有する共重合体（Ｐ１−１）とし、
前記共重合体（Ｐ１−１）が有する酸基の一部と、前記酸基と反応性を有する官能基を有するラジカル重合性不飽和単量体（ｘ−４）とを反応させて、前記重合体構造（ａ１）とこれの側鎖にポリ（パーフルオロアルキレンエーテル）鎖（ａ２）と、ラジカル重合性不飽和基（ａ３）と、酸基とを有する共重合体（Ｐ２−１）とし、
前記共重合体（Ｐ２−１）に残存する酸基とアミン化合物（ｘ−７）とを反応させて得られる含フッ素活性エネルギー線硬化型樹脂であって、
ラジカル重合性不飽和単量体の重合体構造（ａ１）の側鎖にポリ（パーフルオロアルキレンエーテル）鎖（ａ２）と、ラジカル重合性不飽和基（ａ３）と、酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする含フッ素活性エネルギー線硬化型樹脂。
【化１】
2019206722.tif 000001
【請求項２】
ポリ（パーフルオロアルキレンエーテル）鎖（ａ２）と一つのラジカル重合性不飽和基とを有するラジカル重合性不飽和単量体（ｘ−１）と、酸基を有するラジカル重合性不飽和単量体（ｘ−３）と、水酸基、イソシアネート基又はグリシジル基を有するラジカル重合性不飽和単量体（ｘ−５）とを共重合させて、前記ラジカル重合性不飽和単量体（ｘ−１）、（ｘ−３）及び（ｘ−５）の重合体構造（ａ１）とこの側鎖にポリ（パーフルオロアルキレンエーテル）鎖（ａ２）と、酸基と、水酸基、前記イソシアネート基又はグリシジル基とを有する共重合体（Ｐ１−２）とし、
前記共重合体（Ｐ１−２）が有する水酸基、イソシアネート基又はグリシジル基と、これらの基と反応性を有する官能基を有するラジカル重合性不飽和単量体（ｘ−６）とを反応させて、前記重合体構造（ａ１）とこれの側鎖にポリ（パーフルオロアルキレンエーテル）鎖（ａ２）と、ラジカル重合性不飽和基（ａ３）と、酸基とを有する共重合体（Ｐ２−２）とし、
前記共重合体（Ｐ２−２）が有する酸基とアミン化合物（ｘ−７）とを反応させて得られる含フッ素活性エネルギー線硬化型樹脂であって、
ラジカル重合性不飽和単量体の重合体構造（ａ１）の側鎖にポリ（パーフルオロアルキレンエーテル）鎖（ａ２）と、ラジカル重合性不飽和基（ａ３）と、酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする含フッ素活性エネルギー線硬化型樹脂。
【化１】
2019206722.tif 000002
【請求項３】
ポリ（パーフルオロアルキレンエーテル）鎖（ａ２）とその両末端にラジカル重合性不飽和基とを有するラジカル重合性不飽和単量体（ｘ−２）と、酸基を有するラジカル重合性不飽和単量体（ｘ−３）とを共重合させて、複数の前記ラジカル重合性不飽和単量体（ｘ−２）及び（ｘ−３）の重合体構造（ａ１）がポリ（パーフルオロアルキレンエーテル）鎖（ａ２）を介して結節されており、前記重合体構造（ａ１）の側鎖に酸基を有する共重合体（Ｐ１−３）とし、
前記共重合体（Ｐ１−３）が有する酸基の一部と、前記酸基と反応性を有する官能基を有するラジカル重合性不飽和単量体（ｘ−４）とを反応させて、複数の前記重合体構造（ａ１）がポリ（パーフルオロアルキレンエーテル）鎖（ａ２）を介して結節されており、前記重合体構造（ａ１）の側鎖にラジカル重合性不飽和基（ａ３）と酸基とを有する共重合体（Ｐ２−３）とし、
前記共重合体（Ｐ２−３）に残存する酸基とアミン化合物（ｘ−７）とを反応させて得られる含フッ素活性エネルギー線硬化型樹脂であって、
複数のラジカル重合性不飽和単量体の重合体構造（ａ１）がポリ（パーフルオロアルキレンエーテル）鎖（ａ２）を介して結節されており、かつ、前記重合体構造（ａ１）の側鎖にラジカル重合性不飽和基（ａ３）と酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする含フッ素活性エネルギー線硬化型樹脂。
【化１】
2019206722.tif 000003
【請求項４】
ポリ（パーフルオロアルキレンエーテル）鎖（ａ２）とその両末端にラジカル重合性不飽和基とを有するラジカル重合性不飽和単量体（ｘ−２）と、酸基を有するラジカル重合性不飽和単量体（ｘ−３）と、水酸基、イソシアネート基又はグリシジル基を有するラジカル重合性不飽和単量体（ｘ−５）とを共重合させて、複数の前記ラジカル重合性不飽和単量体（ｘ−３）及び（ｘ−５）の重合体構造（ａ１）がポリ（パーフルオロアルキレンエーテル）鎖（ａ２）を介して結節されており、前記重合体構造（ａ１）の側鎖に酸基と、水酸基、イソシアネート基又はグリシジル基とを有する共重合体（Ｐ１−４）とし、
前記共重合体（Ｐ１−４）が有する水酸基、イソシアネート基又はグリシジル基と、これらの基と反応性を有する官能基を有するラジカル重合性不飽和単量体（ｘ−６）とを反応させて、複数の前記重合体構造（ａ１）がポリ（パーフルオロアルキレンエーテル）鎖（ａ２）を介して結節されており、前記重合体構造（ａ１）の側鎖に酸基と、ラジカル重合性不飽和基（ａ３）とを有する共重合体（Ｐ２−４）とし、
前記共重合体（Ｐ２−４）が有する酸基とアミン化合物（ｘ−７）とを反応させ得られる含フッ素活性エネルギー線硬化型樹脂であって、
複数のラジカル重合性不飽和単量体の重合体構造（ａ１）がポリ（パーフルオロアルキレンエーテル）鎖（ａ２）を介して結節されており、かつ、前記重合体構造（ａ１）の側鎖にラジカル重合性不飽和基（ａ３）と酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする含フッ素活性エネルギー線硬化型樹脂。
【化１】
2019206722.tif 000004
【請求項５】
前記ポリ（パーフルオロアルキレンエーテル）鎖（ａ２）１本に含まれるフッ素原子の合計が１８〜２００個の範囲である請求項１〜４のいずれかに記載の含フッ素活性エネルギー線硬化型樹脂。
【請求項６】
前記カルボキシル基のアミン塩構造がカルボキシル基と３級アミンとの塩構造である請求項１〜４のいずれかに記載の含フッ素活性エネルギー線硬化型樹脂。
【請求項７】
前記３級アミンがＮ，Ｎ−ジメチルエタノールアミンである請求項６記載の含フッ素活性エネルギー線硬化型樹脂。
【請求項８】
ラジカル重合性不飽和単量体の重合体構造（ａ１）、ポリ（パーフルオロアルキレンエーテル）鎖（ａ２）及びラジカル重合性不飽和基（ａ３）を有する、酸価が１０〜６００ｍｇＫＯＨ／ｇの含フッ素活性エネルギー線硬化型樹脂と、アミン化合物との反応物であり、該アミン化合物の使用量が該含フッ素活性エネルギー線硬化型樹脂が有する酸に対して０．５〜１．０当量である請求項１〜４のいずれか記載の含フッ素活性エネルギー線硬化型樹脂。
【請求項９】
前記重合体構造（ａ１）とポリ（パーフルオロアルキレンエーテル）鎖（ａ２）とが、スチリル基由来の構造を介して連結している請求項１〜４のいずれか記載の含フッ素活性エネルギー線硬化型樹脂。
【請求項１０】
前記重合体構造（ａ１）の側鎖にさらにオキシアルキレン鎖を有する請求項１〜９の何れか１項記載の含フッ素活性エネルギー線硬化型樹脂。
【請求項１１】
前記オキシアルキレン鎖がオキシエチレン鎖を含むものである請求項１０記載の含フッ素活性エネルギー線硬化型樹脂。
【請求項１２】
前記ポリ（パーフルオロアルキレンエーテル）鎖（ａ２）が、パーフルオロメチレンエーテル鎖とパーフルオロエチレンエーテル鎖とを含むものである請求項１〜１１の何れか１項記載の含フッ素活性エネルギー線硬化型樹脂。
【請求項１３】
ポリ（パーフルオロアルキレンエーテル）鎖（ａ２）と一つのラジカル重合性不飽和基とを有するラジカル重合性不飽和単量体（ｘ−１）と酸基を有するラジカル重合性不飽和単量体（ｘ−３）とを共重合させて、前記ラジカル重合性不飽和単量体（ｘ−１）及び（ｘ−３）の重合体構造（ａ１）とこの側鎖にポリ（パーフルオロアルキレンエーテル）鎖（ａ２）と酸基とを有する共重合体（Ｐ１−１）とし、
前記共重合体（Ｐ１−１）が有する酸基の一部と、前記酸基と反応性を有する官能基を有するラジカル重合性不飽和単量体（ｘ−４）とを反応させて、前記重合体構造（ａ１）とこれの側鎖にポリ（パーフルオロアルキレンエーテル）鎖（ａ２）と、ラジカル重合性不飽和基（ａ３）と、酸基とを有する共重合体（Ｐ２−１）とし、
前記共重合体（Ｐ２−１）に残存する酸基とアミン化合物（ｘ−７）とを反応させて得られる界面活性剤であって、
ラジカル重合性不飽和単量体の重合体構造（ａ１）の側鎖にポリ（パーフルオロアルキレンエーテル）鎖（ａ２）と、ラジカル重合性不飽和基（ａ３）と、酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする界面活性剤。
【化２】
2019206722.tif 000005
【請求項１４】
ポリ（パーフルオロアルキレンエーテル）鎖（ａ２）と一つのラジカル重合性不飽和基とを有するラジカル重合性不飽和単量体（ｘ−１）と、酸基を有するラジカル重合性不飽和単量体（ｘ−３）と、水酸基、イソシアネート基又はグリシジル基を有するラジカル重合性不飽和単量体（ｘ−５）とを共重合させて、前記ラジカル重合性不飽和単量体（ｘ−１）、（ｘ−３）及び（ｘ−５）の重合体構造（ａ１）とこの側鎖にポリ（パーフルオロアルキレンエーテル）鎖（ａ２）と、酸基と、水酸基、前記イソシアネート基又はグリシジル基とを有する共重合体（Ｐ１−２）とし、
前記共重合体（Ｐ１−２）が有する水酸基、イソシアネート基又はグリシジル基と、これらの基と反応性を有する官能基を有するラジカル重合性不飽和単量体（ｘ−６）とを反応させて、前記重合体構造（ａ１）とこれの側鎖にポリ（パーフルオロアルキレンエーテル）鎖（ａ２）と、ラジカル重合性不飽和基（ａ３）と、酸基とを有する共重合体（Ｐ２−２）とし、
前記共重合体（Ｐ２−２）が有する酸基とアミン化合物（ｘ−７）とを反応させて得られるであって、
ラジカル重合性不飽和単量体の重合体構造（ａ１）の側鎖にポリ（パーフルオロアルキレンエーテル）鎖（ａ２）と、ラジカル重合性不飽和基（ａ３）と、酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする界面活性剤。
【化２】
2019206722.tif 000006
【請求項１５】
ポリ（パーフルオロアルキレンエーテル）鎖（ａ２）とその両末端にラジカル重合性不飽和基とを有するラジカル重合性不飽和単量体（ｘ−２）と、酸基を有するラジカル重合性不飽和単量体（ｘ−３）とを共重合させて、複数の前記ラジカル重合性不飽和単量体（ｘ−２）及び（ｘ−３）の重合体構造（ａ１）がポリ（パーフルオロアルキレンエーテル）鎖（ａ２）を介して結節されており、前記重合体構造（ａ１）の側鎖に酸基を有する共重合体（Ｐ１−３）とし、
前記共重合体（Ｐ１−３）が有する酸基の一部と、前記酸基と反応性を有する官能基を有するラジカル重合性不飽和単量体（ｘ−４）とを反応させて、複数の前記重合体構造（ａ１）がポリ（パーフルオロアルキレンエーテル）鎖（ａ２）を介して結節されており、前記重合体構造（ａ１）の側鎖にラジカル重合性不飽和基（ａ３）と酸基とを有する共重合体（Ｐ２−３）とし、
前記共重合体（Ｐ２−３）に残存する酸基とアミン化合物（ｘ−７）とを反応させて得られる界面活性剤であって、
複数のラジカル重合性不飽和単量体の重合体構造（ａ１）がポリ（パーフルオロアルキレンエーテル）鎖（ａ２）を介して結節されており、かつ、前記重合体構造（ａ１）の側鎖にラジカル重合性不飽和基（ａ３）と酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする界面活性剤。
【化２】
2019206722.tif 000007
【請求項１６】
ポリ（パーフルオロアルキレンエーテル）鎖（ａ２）とその両末端にラジカル重合性不飽和基とを有するラジカル重合性不飽和単量体（ｘ−２）と、酸基を有するラジカル重合性不飽和単量体（ｘ−３）と、水酸基、イソシアネート基又はグリシジル基を有するラジカル重合性不飽和単量体（ｘ−５）とを共重合させて、複数の前記ラジカル重合性不飽和単量体（ｘ−３）及び（ｘ−５）の重合体構造（ａ１）がポリ（パーフルオロアルキレンエーテル）鎖（ａ２）を介して結節されており、前記重合体構造（ａ１）の側鎖に酸基と、水酸基、イソシアネート基又はグリシジル基とを有する共重合体（Ｐ１−４）とし、
前記共重合体（Ｐ１−４）が有する水酸基、イソシアネート基又はグリシジル基と、これらの基と反応性を有する官能基を有するラジカル重合性不飽和単量体（ｘ−６）とを反応させて、複数の前記重合体構造（ａ１）がポリ（パーフルオロアルキレンエーテル）鎖（ａ２）を介して結節されており、前記重合体構造（ａ１）の側鎖に酸基と、ラジカル重合性不飽和基（ａ３）とを有する共重合体（Ｐ２−４）とし、
前記共重合体（Ｐ２−４）が有する酸基とアミン化合物（ｘ−７）とを反応させ得られる界面活性剤であって、
複数のラジカル重合性不飽和単量体の重合体構造（ａ１）がポリ（パーフルオロアルキレンエーテル）鎖（ａ２）を介して結節されており、かつ、前記重合体構造（ａ１）の側鎖にラジカル重合性不飽和基（ａ３）と酸基の中和塩構造（ａ４）とを有し、
前記ラジカル重合性不飽和単量体の重合体構造（ａ１）のラジカル重合性不飽和単量体が、（メタ）アクリル系単量体、芳香族ビニル系単量体、ビニルエステル系単量体、又はマレイミド系単量体であり、
前記ラジカル重合性不飽和基（ａ３）が、下記構造式（Ｕ−１）〜（Ｕ−５）で示されるいずれかであり、
前記酸基の中和塩構造（ａ４）が、カルボキシル基のアミン塩構造であることを特徴とする界面活性剤。
【化２】
2019206722.tif 000008
【請求項１７】
前記ポリ（パーフルオロアルキレンエーテル）鎖（ａ２）１本に含まれるフッ素原子の合計が１８〜２００個の範囲である請求項１３〜１６のいずれかに記載の界面活性剤。
【請求項１８】
請求項１〜１２のいずれか１項記載の含フッ素活性エネルギー線硬化型樹脂（Ａ）と、含フッ素活性エネルギー線硬化型樹脂（Ａ）以外の活性エネルギー線硬化型親水性樹脂（Ｂ）と、水とを含有することを特徴とする活性エネルギー線硬化型樹脂組成物。
【請求項１９】
前記含フッ素活性エネルギー線硬化型樹脂（Ａ）の含有量が、組成物の不揮発分１００質量部に対して０．００１〜１０質量部である請求項１８記載の活性エネルギー線硬化型樹脂組成物。
【請求項２０】
請求項１８又は１９に記載の活性エネルギー線硬化型樹脂組成物の硬化塗膜。
【請求項２１】
ポリ（パーフルオロアルキレンエーテル）鎖（ａ２）と一つのラジカル重合性不飽和基とを有するラジカル重合性不飽和単量体（ｘ−１）と酸基を有するラジカル重合性不飽和単量体（ｘ−３）とを共重合させて、前記ラジカル重合性不飽和単量体（ｘ−１）及び（ｘ−３）の重合体構造（ａ１）とこの側鎖にポリ（パーフルオロアルキレンエーテル）鎖（ａ２）と酸基とを有する共重合体（Ｐ１−１）を調製し、
前記共重合体（Ｐ１−１）が有する酸基の一部と、前記酸基と反応性を有する官能基を有するラジカル重合性不飽和単量体（ｘ−４）とを反応させて、前記重合体構造（ａ１）とこれの側鎖にポリ（パーフルオロアルキレンエーテル）鎖（ａ２）と、ラジカル重合性不飽和基（ａ３）と、酸基とを有する共重合体（Ｐ２−１）を調製し、
前記共重合体（Ｐ２−１）に残存する酸基と塩基化合物（ｘ−７）とを反応させる含フッ素活性エネルギー線硬化型樹脂の製造方法。
【請求項２２】
ポリ（パーフルオロアルキレンエーテル）鎖（ａ２）と一つのラジカル重合性不飽和基とを有するラジカル重合性不飽和単量体（ｘ−１）と、酸基を有するラジカル重合性不飽和単量体（ｘ−３）と、水酸基、イソシアネート基又はグリシジル基を有するラジカル重合性不飽和単量体（ｘ−５）とを共重合させて、前記ラジカル重合性不飽和単量体（ｘ−１）、（ｘ−３）及び（ｘ−５）の重合体構造（ａ１）とこの側鎖にポリ（パーフルオロアルキレンエーテル）鎖（ａ２）と、酸基と、水酸基、前記イソシアネート基又はグリシジル基とを有する共重合体（Ｐ１−２）を調製し、
前記共重合体（Ｐ１−２）が有する水酸基、イソシアネート基又はグリシジル基と、これらの基と反応性を有する官能基を有するラジカル重合性不飽和単量体（ｘ−６）とを反応させて、前記重合体構造（ａ１）とこれの側鎖にポリ（パーフルオロアルキレンエーテル）鎖（ａ２）と、ラジカル重合性不飽和基（ａ３）と、酸基とを有する共重合体（Ｐ２−２）を調製し、
前記共重合体（Ｐ２−２）が有する酸基と塩基化合物（ｘ−７）とを反応させる含フッ素活性エネルギー線硬化型樹脂の製造方法。
【請求項２３】
ポリ（パーフルオロアルキレンエーテル）鎖（ａ２）とその両末端にラジカル重合性不飽和基とを有するラジカル重合性不飽和単量体（ｘ−２）と、酸基を有するラジカル重合性不飽和単量体（ｘ−３）とを共重合させて、複数の前記ラジカル重合性不飽和単量体（ｘ−２）及び（ｘ−３）の重合体構造（ａ１）がポリ（パーフルオロアルキレンエーテル）鎖（ａ２）を介して結節されており、前記重合体構造（ａ１）の側鎖に酸基を有する共重合体（Ｐ１−３）を調製し、
前記共重合体（Ｐ１−３）が有する酸基の一部と、前記酸基と反応性を有する官能基を有するラジカル重合性不飽和単量体（ｘ−４）とを反応させて、複数の前記重合体構造（ａ１）がポリ（パーフルオロアルキレンエーテル）鎖（ａ２）を介して結節されており、前記重合体構造（ａ１）の側鎖にラジカル重合性不飽和基（ａ３）と酸基とを有する共重合体（Ｐ２−３）を調製し、
前記共重合体（Ｐ２−３）に残存する酸基と塩基化合物（ｘ−７）とを反応させる含フッ素活性エネルギー線硬化型樹脂の製造方法。
【請求項２４】
ポリ（パーフルオロアルキレンエーテル）鎖（ａ２）とその両末端にラジカル重合性不飽和基とを有するラジカル重合性不飽和単量体（ｘ−２）と、酸基を有するラジカル重合性不飽和単量体（ｘ−３）と、水酸基、イソシアネート基又はグリシジル基を有するラジカル重合性不飽和単量体（ｘ−５）とを共重合させて、複数の前記ラジカル重合性不飽和単量体（ｘ−３）及び（ｘ−５）の重合体構造（ａ１）がポリ（パーフルオロアルキレンエーテル）鎖（ａ２）を介して結節されており、前記重合体構造（ａ１）の側鎖に酸基と、水酸基、イソシアネート基又はグリシジル基とを有する共重合体（Ｐ１−４）を調製し、
前記共重合体（Ｐ１−４）が有する水酸基、イソシアネート基又はグリシジル基と、これらの基と反応性を有する官能基を有するラジカル重合性不飽和単量体（ｘ−６）とを反応させて、複数の前記重合体構造（ａ１）がポリ（パーフルオロアルキレンエーテル）鎖（ａ２）を介して結節されており、前記重合体構造（ａ１）の側鎖に酸基と、ラジカル重合性不飽和基（ａ３）とを有する共重合体（Ｐ２−４）を調製し、
前記共重合体（Ｐ２−４）が有する酸基と塩基化合物（ｘ−７）とを反応させる含フッ素活性エネルギー線硬化型樹脂の製造方法。
【請求項２５】
前記ラジカル重合性不飽和単量体が、（メタ）アクリル系単量体、芳香族ビニル系単量体、ビニルエステル系単量体、又はマレイミド系単量体である請求項２１〜２４のいずれかに記載の含フッ素活性エネルギー線硬化型樹脂の製造方法。
【請求項２６】
前記ラジカル重合性不飽和基（ａ３）が、下記構造式（Ｕ−１）〜（Ｕ−５）で示されるいずれかである請求項２１〜２４のいずれかに記載の含フッ素活性エネルギー線硬化型樹脂の製造方法。
【化１】
2019206722.tif 000009
【請求項２７】
前記酸基がカルボキシル基である請求項２１〜２４のいずれかに記載の含フッ素活性エネルギー線硬化型樹脂の製造方法。
【請求項２８】
前記塩基化合物がアミン化合物である請求項２１〜２４のいずれかに記載の含フッ素活性エネルギー線硬化型樹脂の製造方法。
【請求項２９】
前記アミン化合物が３級アミンである請求項２８に記載の含フッ素活性エネルギー線硬化型樹脂の製造方法。
【請求項３０】
前記３級アミンがＮ，Ｎ−ジメチルエタノールアミンである請求項２９記載の含フッ素活性エネルギー線硬化型樹脂の製造方法。
【請求項３１】
前記塩基化合物の使用量が、前記酸基に対して０．５〜１．０当量である請求項２１〜２４のいずれかに記載の含フッ素活性エネルギー線硬化型樹脂の製造方法。
【請求項３２】
前記ポリ（パーフルオロアルキレンエーテル）鎖（ａ２）１本に含まれるフッ素原子の合計が１８〜２００個の範囲である請求項２１〜２４のいずれかに記載の含フッ素活性エネルギー線硬化型樹脂の製造方法。
【請求項３３】
前記ポリ（パーフルオロアルキレンエーテル）鎖（ａ２）が、パーフルオロメチレンエーテル鎖とパーフルオロエチレンエーテル鎖とを含むものである請求項２１〜２４のいずれかに記載の含フッ素活性エネルギー線硬化型樹脂の製造方法。
【請求項３４】
前記共重合にオキシアルキレン鎖を有するラジカル重合性不飽和単量体を用いる請求項２１〜２４のいずれかに記載の含フッ素活性エネルギー線硬化型樹脂の製造方法。
【請求項３５】
前記オキシアルキレン鎖がオキシエチレン鎖を含むものである請求項３４に記載の含フッ素活性エネルギー線硬化型樹脂の製造方法。
【請求項３６】
前記ポリ（パーフルオロアルキレンエーテル）鎖（ａ２）とその両末端にラジカル重合性不飽和基とを有するラジカル重合性不飽和単量体（ｘ−２）のラジカル重合性不飽和基がスチリル基である請求項２３又は２４に記載の含フッ素活性エネルギー線硬化型樹脂の製造方法。